(57)【特許請求の範囲】
【請求項１】
被写体像を光電変換して撮像画像を生成する撮像手段を備え、
位相差検出方式による焦点検出と、前記撮像手段から得られる撮像画像の被写体像のコントラストに基づくコントラスト方式による焦点検出とが実行可能な撮像装置であって、
前記位相差検出方式による焦点検出の結果と前記コントラスト方式による焦点検出の結果とが離れると低下する信頼度を判定する信頼度判定手段と、
前記信頼度判定手段により判定された信頼度に応じて、前記位相差検出方式による焦点検出及び前記コントラスト方式による焦点検出を再実行させる再実行手段と、
前記位相差検出方式による焦点検出の結果を前記コントラスト方式による焦点検出の結果との差に応じた補正量で補正してレンズ駆動量とするコントローラとを備え、
前記信頼度の判定を行う撮影シーケンスで撮影された画像を表示する際には、前記信頼度の判定を行う撮影シーケンスでないシーケンスで撮影された画像を表示する際に行うエッジ強調を行わないことを特徴とする撮像装置。
【請求項２】
段階的に焦点位置をずらしながら撮影する段階撮影モード時に、前記信頼度判定手段により信頼度を判定することを特徴とする請求項１に記載の撮像装置。
【請求項３】
前記段階撮影モードにおける複数の焦点位置ずらし量から選択された焦点位置ずらし量を、オートフォーカス補正量として記憶手段に記憶させることを特徴とする請求項２に記載の撮像装置。
【請求項４】
通常撮影モード時には、前記位相差検出方式による焦点検出だけを実行し、その結果に、前記記憶手段に記憶されたオートフォーカス補正量を反映させることを特徴とする請求項３に記載の撮像装置。
【請求項５】
前記信頼度判定手段により判定された信頼度を通知する通知手段を備えたことを特徴とする請求項１〜４に記載の撮像装置。
【請求項６】
前記信頼度判定手段により判定された信頼度に応じて、前記記憶手段への記憶の可否を決定することを特徴とする請求項３に記載の撮像装置。
【請求項７】
被写体像を光電変換して撮像画像を生成する撮像手段を備え、位相差検出方式による焦点検出と、前記撮像手段から得られる撮像画像の被写体像のコントラストに基づくコントラスト方式による焦点検出とが実行可能な撮像装置の制御方法であって、
前記位相差検出方式による焦点検出の結果と前記コントラスト方式による焦点検出の結果とが離れると低下する信頼度を判定する手順と、
前記判定された信頼度に応じて、前記位相差検出方式による焦点検出及び前記コントラスト方式による焦点検出を再実行させる手順と、
前記位相差検出方式による焦点検出の結果を前記コントラスト方式による焦点検出の結果との差に応じた補正量で補正してレンズ駆動量とする手順とを有し、
前記信頼度の判定を行う撮影シーケンスで撮影された画像を表示する際には、前記信頼度の判定を行う撮影シーケンスでないシーケンスで撮影された画像を表示する際に行うエッジ強調を行わないことを特徴とする撮像装置の制御方法。
【請求項８】
被写体像を光電変換して撮像画像を生成する撮像手段を備え、位相差検出方式による焦点検出と、前記撮像手段から得られる撮像画像の被写体像のコントラストに基づくコントラスト方式による焦点検出とが実行可能な撮像装置を制御するコンピュータプログラムであって、
前記位相差検出方式による焦点検出の結果と前記コントラスト方式による焦点検出の結果とが離れると低下する信頼度を判定する処理と、
前記判定された信頼度に応じて、前記位相差検出方式による焦点検出及び前記コントラスト方式による焦点検出を再実行させる処理と、
前記位相差検出方式による焦点検出の結果を前記コントラスト方式による焦点検出の結果との差に応じた補正量で補正してレンズ駆動量とする処理とをコンピュータに実行させ、
前記信頼度の判定を行う撮影シーケンスで撮影された画像を表示する際には、前記信頼度の判定を行う撮影シーケンスでないシーケンスで撮影された画像を表示する際に行うエッジ強調を行わないことを特徴とするコンピュータプログラム。
【発明の詳細な説明】
【技術分野】
【０００１】
本発明は、位相差検出方式による焦点検出と、前記撮像手段から得られる撮像画像の被写体像のコントラストに基づくコントラスト方式による焦点検出とが実行可能な撮像装置、その制御方法、及びコンピュータプログラムに関する。
【背景技術】
【０００２】
従来、撮像に関するパラメータを自動的に調整する機能、例えば自動焦点（ＡＦ：オートフォーカス）機能や自動露出（ＡＥ：オートエクスポージャー）機能、オートホワイトバランス機能を有する電子カメラがある。
【０００３】
ＡＦ機能においては、基準となるレンズや距離においてピント調整を行っている。ピント調整においては、実際に撮影した場合には問題にならないレベルでの誤差を許容している。
【０００４】
ＡＦ機能におけるピント調整については、カメラ本体及びレンズユニットの双方にそれぞれ製造誤差を含んでいるため、カメラ本体とレンズユニットを組み合わせた場合のオートフォーカスにおいて、許容量より大きなピント誤差が発生するという問題があった。
【０００５】
また、カメラ本体とレンズユニットを組み合わせた場合で精度が問題ならないようにするには、カメラ及びレンズユニットの双方において製造時の許容誤差を小さくすれば良いが、それでは調整工程に求められる精度が高くなり、製造コストが増加するという問題が発生してしまう。
【０００６】
ＡＦ機能に関して、例えば特許文献１には、テストモードにおいて、互いに共役な位置に配されたＡＦセンサモジュール及びイメージセンサからそれぞれオートフォーカスデータを得て、オートフォーカスデータの相対ずれデータを記憶させておき、通常モードにおいては、このオートフォーカスの相対ずれデータに基づいて撮影レンズを駆動する電子的撮像装置が提案されている。
【０００７】
また、特許文献２には、撮影時に、位相差方式ＡＦ検出手段による位相差検出信号に基づいて撮像レンズを駆動させた後に、被写体像のコントラストに応じた評価値に基づいて撮像レンズを駆動させるデジタルスチルカメラが提案されている。
【０００８】
その他にも、特許文献３、４には、ＡＦ機能でのピントずらしを行う装置が提案されている。また、特許文献５には、フォーカスレンズを全ストローク、単位量ずつ移動させながら撮像し、輝度信号の高周波成分に基づく合焦評価値が最大の画像を最良画像とする撮像装置が提案されている。
【０００９】
【特許文献１】特開２０００−２９２６８４号公報
【特許文献２】特開２００１−２８１５３０号公報
【特許文献３】特許第２７５７３７９号公報
【特許文献４】特開平１１−２５８４８８号公報
【特許文献５】特開平１１−２１１９７４号公報
【特許文献６】特開２００４−３０９８６６号公報
【特許文献７】特開平９−１９７４７４号公報
【発明の開示】
【発明が解決しようとする課題】
【００１０】
ところで、特許文献６には、パッシブ焦点検出手段と、コントラスト焦点検出手段とを備え、パッシブ焦点検出手段が検出したパッシブ合焦レンズ位置の信頼性に応じて、コントラスト焦点検出手段を作動させてコントラストを検出する焦点調節レンズ移動範囲を変更する自動焦点調節装置が提案されている。
【００１１】
しかしながら、特許文献６に記載の自動焦点調節装置おいては、パッシブ焦点検出手段による結果についての信頼性を評価するだけであり、コントラスト焦点検出手段の結果について信頼性を評価することはなされていない。
【００１２】
本発明は上記のような点に鑑みてなされたものであり、位相差検出方式による焦点検出の結果及びコントラスト方式による焦点検出の結果の信頼度を判定し、高精度なＡＦ機能を実現することを目的とする。
【課題を解決するための手段】
【００１３】
本発明の撮像装置は、被写体像を光電変換して撮像画像を生成する撮像手段を備え、位相差検出方式による焦点検出と、前記撮像手段から得られる撮像画像の被写体像のコントラストに基づくコントラスト方式による焦点検出とが実行可能な撮像装置であって、前記位相差検出方式による焦点検出の結果と前記コントラスト方式による焦点検出の結果とが離れると低下する信頼度を判定する信頼度判定手段と、前記信頼度判定手段により判定された信頼度に応じて、前記位相差検出方式による焦点検出及び前記コントラスト方式による焦点検出を再実行させる再実行手段と、前記位相差検出方式による焦点検出の結果を前記コントラスト方式による焦点検出の結果との差に応じた補正量で補正してレンズ駆動量とするコントローラとを備え、前記信頼度の判定を行う撮影シーケンスで撮影された画像を表示する際には、前記信頼度の判定を行う撮影シーケンスでないシーケンスで撮影された画像を表示する際に行うエッジ強調を行わない点に特徴を有する。
本発明の撮像装置の制御方法は、被写体像を光電変換して撮像画像を生成する撮像手段を備え、位相差検出方式による焦点検出と、前記撮像手段から得られる撮像画像の被写体像のコントラストに基づくコントラスト方式による焦点検出とが実行可能な撮像装置の制御方法であって、前記位相差検出方式による焦点検出の結果と前記コントラスト方式による焦点検出の結果とが離れると低下する信頼度を判定する手順と、前記判定された信頼度に応じて、前記位相差検出方式による焦点検出及び前記コントラスト方式による焦点検出を再実行させる手順と、前記位相差検出方式による焦点検出の結果を前記コントラスト方式による焦点検出の結果との差に応じた補正量で補正してレンズ駆動量とする手順とを有し、前記信頼度の判定を行う撮影シーケンスで撮影された画像を表示する際には、前記信頼度の判定を行う撮影シーケンスでないシーケンスで撮影された画像を表示する際に行うエッジ強調を行わない点に特徴を有する。
本発明のコンピュータプログラムは、被写体像を光電変換して撮像画像を生成する撮像手段を備え、位相差検出方式による焦点検出と、前記撮像手段から得られる撮像画像の被写体像のコントラストに基づくコントラスト方式による焦点検出とが実行可能な撮像装置を制御するコンピュータプログラムであって、前記位相差検出方式による焦点検出の結果と前記コントラスト方式による焦点検出の結果とが離れると低下する信頼度を判定する処理と、前記判定された信頼度に応じて、前記位相差検出方式による焦点検出及び前記コントラスト方式による焦点検出を再実行させる処理と、前記位相差検出方式による焦点検出の結果を前記コントラスト方式による焦点検出の結果との差に応じた補正量で補正してレンズ駆動量とする処理とをコンピュータに実行させ、前記信頼度の判定を行う撮影シーケンスで撮影された画像を表示する際には、前記信頼度の判定を行う撮影シーケンスでないシーケンスで撮影された画像を表示する際に行うエッジ強調を行わない点に特徴を有する。
【発明の効果】
【００１４】
本発明によれば、位相差検出方式による焦点検出の結果及びコントラスト方式による焦点検出の結果の信頼度を判定することにより、高精度なＡＦ機能を実現することができる。
【００１５】
さらに、段階撮影モード時に、オートフォーカス補正量を取得して記憶手段に記憶させておき、通常撮影モード時に、位相差検出方式による焦点検出の結果に記憶手段に記憶されたオートフォーカス補正量を反映させるようにすれば、特許文献１のようにオートフォーカスの相対ずれデータを取得するためだけのテストモードが不要となり、また、特許文献２のように通常の撮影ごとに位相差検出方式による焦点検出及びコントラスト方式による焦点検出の両方を実行する必要がなくなる。
【発明を実施するための最良の形態】
【００１６】
以下、添付図面を参照して、本発明の好適な実施形態について説明する。
（電子カメラの構成）
図１に、本実施形態の電子カメラの概略構成を示す。電子カメラのカメラ本体２００にはマウント部を介してレンズユニット１００が着脱可能に取り付けられる。マウント部には電気的接点群１０７が設けられており、カメラ本体２００とレンズユニット１００との間で通信を行い、レンズユニット１００のレンズ１０１や絞り１０２の駆動を行う。
【００１７】
不図示の被写体像からの光束は、撮影レンズ１０１及び光量を調節するための露出手段である絞り１０２を介してクイックリターンミラー（主ミラー）２０２に導かれる。クイックリターンミラー２０２は、ミラーアップ及びミラーダウン可能なように組み付けられている。
【００１８】
クイックリターンミラー２０２の中央部はハーフミラーになっており、クイックリターンミラー２０２がダウンした状態で（図１の状態）、撮影レンズ１０１からの光束の一部が透過する。この透過した光束は、クイックリターンミラー２０２に設置されたサブミラー２０３で反射し、ＡＦセンサ２０４に導かれる。ＡＦセンサ２０４は、図６に示すように、撮影画面の複数の位置（測距エリア１〜３）で焦点検出できるようになっている。一方、クイックリターンミラー２０２で反射した光束は、ペンタプリズム２０１、接眼レンズ２０６を介して撮影者の目に至る。
【００１９】
それに対して、クイックリターンミラー２０２がアップした状態では、撮影レンズ１０１からの光束がフィルタ２０９、機械シャッタであるフォーカルプレーンシャッタ２０８を介して撮像素子としてのＣＭＯＳ等に代表される撮像手段であるイメージセンサ２１０に至る。フィルタ２０９は２つの機能を有するもので、１つは赤外線をカットし可視光線のみをイメージセンサ２１０へ導く機能、もう１つは光学ローパスフィルタとしての機能である。また、フォーカルプレーンシャッタ２０８は、先幕及び後幕を有し、撮影レンズ１０１からの光束に対して透過、遮断を制御する遮光手段である。なお、クイックリターンミラー２０２がアップする際には、サブミラー２０３は折り畳まれるようになっている。
【００２０】
本実施形態の電子カメラは、全体の制御を司る制御手段としてＣＰＵにより構成されるシステムコントローラ２２３を備え、後述する各部の動作を適宜制御する。システムコントローラ２２３には、レンズ制御回路１０４、絞り制御回路１０６、シャッタチャージ・ミラー駆動機構２１１、シャッタ制御機構２１２、測光回路２０７、ＥＥＰＲＯＭ２２２等が接続されている。本実施形態では、システムコントローラ２２３は、ＡＦ、ＡＥ、ホワイトバランスの段階撮影を制御することもできる。
【００２１】
レンズ制御回路１０４は、撮影レンズ１０１を光軸方向に移動してピント合わせを行うためのレンズ駆動機構１０３を制御する。レンズ制御回路１０４は、レンズ固有の情報、例えば焦点距離、開放絞り、レンズ個々に割り振られるレンズＩＤ等の情報とシステムコントローラ２２３から受け取った情報を記憶するレンズ記憶手段も有する。絞り制御回路１０６は、絞り１０２を駆動するための絞り駆動機構１０５を制御する。
【００２２】
シャッタチャージ・ミラー駆動機構２１１は、クイックリターンミラー２０２のアップダウン駆動及びフォーカルプレーンシャッタ２０８のシャッタチャージを制御する。シャッタ制御機構２１２は、フォーカルプレーンシャッタ２０８の先幕、後幕の走行を制御する。即ち、フォーカルプレーンシャッタ２０８の先幕、後幕は、駆動源がバネにより構成されており、シャッタ走行後、次の動作のためにバネチャージを要するが、シャッタチャージ・ミラー駆動機構２１１は、このバネチャージを制御するようになっている。
【００２３】
測光回路２０７は、接眼レンズ２０６の近傍に配設された測光センサに接続された自動露出調整手段である。測光回路２０７に接続された測光センサは、被写体の輝度を測定するためのセンサであり、その出力は測光回路２０７を経てシステムコントローラ２２３へ供給される。測光センサの測光部は、図６に示すように撮影画面を分割して測光できるように分割されている。この場合に、測光エリア１〜３はそれぞれ測距エリア１〜３に対応している。
【００２４】
ＥＥＰＲＯＭ２２２は、電子カメラを制御する上で調整が必要なパラメータや、電子カメラの個体識別が可能なカメラＩＤ情報や、ＡＦ補正データや、自動露出補正値を記憶する。
【００２５】
また、電子カメラにはパーソナルコンピュータ（ＰＣ）に代表される外部制御装置３００が接続可能になっており、通信インターフェース回路２２４を介して外部制御装置３００とシステムコントローラ２２３とが通信可能とされている。
【００２６】
システムコントローラ２２３は、レンズ制御回路１０４を介してレンズ駆動機構１０３を制御することにより、被写体像をイメージセンサ２１０上に結像する。また、システムコントローラ２２３は、設定されたＡｖ値に基づいて絞り１０２を駆動する絞り駆動機構１０５を制御し、さらに設定されたＴｖ値に基づいてシャッタ制御機構２１２へ制御信号を出力する。
【００２７】
システムコントローラ２２３には、画像データコントローラ２２０が接続されている。画像データコントローラ２２０は、ＤＳＰ（デジタル信号プロセッサ）により構成される補正データサンプル手段及び補正手段であり、イメージセンサ２１０の制御、イメージセンサ２１０から入力された画像データの補正や加工等をシステムコントローラ２２３の指令に基づいて実行する。画像データの補正や加工の項目の中には、オートホワイトバランスも含まれている。オートホワイトバランスとは、撮影画像中の最大輝度の部分を所定の色（白色）に補正する機能である。オートホワイトバランスにおいては、システムコントローラ２２３からの指令により補正量を変更することが可能である。
【００２８】
また、画像データコントローラ２２０には、タイミングパルス発生回路２１７と、Ａ／Ｄコンバータ２１６と、ＤＲＡＭ２２１と、Ｄ／Ａコンバータ２１５と、画像圧縮回路２１９とが接続されている。
【００２９】
タイミングパルス発生回路２１７は、イメージセンサ２１０を駆動する際に必要なパルス信号を出力する。Ａ／Ｄコンバータ２１６は、イメージセンサ２１０と共にタイミングパルス発生回路２１７で発生されたタイミングパルスを受けて、イメージセンサ２１０から出力される被写体像に対応したアナログ信号をデジタル信号に変換する。
【００３０】
ＤＲＡＭ２２１は、加工や所定のフォーマットへのデータ変換が行われる前の画像データ（デジタルデータ）を一時的に記憶するための記憶手段として使用される。
【００３１】
Ｄ／Ａコンバータ２１５には、エンコーダ回路２１４を介して画像表示手段である画像表示回路２１３が接続されている。画像表示回路２１３は、イメージセンサ２１０で撮像された画像データを表示するための回路であり、一般的にはカラーの液晶表示素子により構成される。
【００３２】
画像圧縮回路２１９には、画像データ記録メディア２１８が接続されている。画像圧縮回路２１９は、ＤＲＡＭ２２１に記憶された画像データの圧縮や変換（例えばＪＰＥＧ）を行うための回路である。変換された画像データは、画像データ記録メディア２１８へ格納される。画像データ記録メディア２１８としては、ハードディスク、フラッシュメモリ、フレキシブルディスク等が使用される。
【００３３】
画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４は、Ｄ／Ａコンバータ２１５の出力を画像表示回路２１３を駆動する際に必要な映像信号（例えばＮＴＳＣ信号）に変換する。
【００３４】
さらにシステムコントローラ２２３には、表示回路２２５と、レリーズスイッチ１（２３１）と、レリーズスイッチ２（２３０）と、モード設定スイッチ２２９と、測距エリア選択スイッチ２２８と、決定スイッチ２２７と、ブラケット量を設定するためのブラケット量設定スイッチ２３２と、測光エリア選択スイッチ２３５と、電子ダイヤルスイッチ２２６とが接続されている。
【００３５】
表示回路２２５は、電子カメラの動作モードの情報や露出情報（シャッタ秒時、絞り値等）の表示を行う。レリーズスイッチ１（２３１）は、測光や測距等の撮影準備動作を開始させ、レリーズスイッチ２（２３０）は、撮像動作を開始させるためのものである。モード設定スイッチ２２９は、ユーザが所望の動作を電子カメラに実行させるべくモードを設定するためのものである。測距エリア選択スイッチ２２８は、ＡＦセンサ２０４が持つ複数の焦点検出位置から使用する焦点検出位置を選択するための焦点検出位置選択手段である。決定スイッチ２２７は、画像選択手段としても機能するものである。測光エリア選択スイッチ２３５は、使用する測光エリアを選択するためのものである。電子ダイヤルスイッチ２２６は、回転動作によりパラメータをアップダウンさせて表示するためのものである。
【００３６】
カウンター２３３は、システムコントローラ２２３に接続され、各種ブラケット撮影を行う際にレリーズ回数をカウントする。カウンター２３３の計数値リセットはシステムコントローラ２２３により行われる。また、ブザー２３４は、警告音等を発するためのものである。
【００３７】
（デフォーカス検出の原理説明）
図７、８を参照して、デフォーカス量（ピント位置ズレ量）検出の原理を説明する。撮像素子上にピントがあっているとき、ラインセンサ上の２像間隔はある値をとる。この値は設計により求めることができるが、実際には、部品の寸法、バラツキ、組立て上の誤差によって設計値と同じとはならない。したがって、実際には測定しなければこの２像間隔（基準２像間隔Ｌｏ）を求めることは困難である。図７より明らかなように、この基準２像間隔Ｌｏより２像間隔が狭まければ前ピンであり、基準２像間隔Ｌｏより広ければ後ピンである。
【００３８】
図８は、ＡＦセンサモジュールの光学系からコンデンサレンズを省いたモデルを示した図である。同図に示すように、主光線の角度をθ、セパレータレンズの倍率をβ、像の移動量をΔＬ、ΔＬ'とすると、デフォーカス量Ｌは下式（１）で求まる。ここで、β・ｔａｎθは、ＡＦセンサモジュールの設計上定まるパラメータである。また、ΔＬ'は基準２像間隔（Ｌｏ）と現在の２像間隔（Ｌｔ）から求めることができる。
【００３９】
【数１】
0004804210.tif 000002
【００４０】
本実施形態のＡＦセンサ２０４は、撮影画面の複数の位置で焦点検出できるように、上記構成を複数具備している。オートフォーカス機能のピント調整は、予めピント位置のわかっているレンズを用い、撮像素子の光軸上の位置（撮像素子の組み付け誤差）にピント位置が来るようにＡＦセンサ２０４から得られる２像間隔をＡＦピント補正パラメータとしてＥＥＰＲＯＭ２２２に記憶するようにしている。しかし、電子カメラに取り付けられるレンズユニットが変わると、レンズユニット自体の製造誤差によりピント位置にバラツキが生じる。
【００４１】
（測距エリア選択シーケンス）
図２を参照して、測距エリア選択シーケンスを説明する。ステップＳ００１では、測距エリア選択スイッチ２２８がオンされたか否か判定する。オンされたならば、ステップＳ００２へ移行する。ステップＳ００２では、電子ダイヤルスイッチ２２６が操作されたか否か、また操作されていれば操作方向及び操作量を検出する。ステップＳ００３では、ステップＳ００２での電子ダイヤルスイッチ２２６の操作方向及び操作量に応じて測距エリアを変更する。測距エリアは、全部⇔測距エリア１⇔測距エリア２⇔測距エリア３⇔全部、という順序で切り替わる。ステップＳ００４では、測距エリア選択スイッチ２２８がオフされたか否か判定し、オフされたならば、測距エリア選択シーケンスを終了する。
【００４２】
（撮影モード設定シーケンス）
図３を参照して、撮影モード設定シーケンスを説明する。ステップＳ１０１では、モード設定スイッチ２２９がオンされたか否かを判定する。オンされたならば、ユーザによってモード設定操作が開始されたものと判定し、ステップＳ１０２へ移行する。ステップＳ１０２では、電子ダイヤルスイッチ２２６の操作クリック数を検出する。電子ダイヤルスイッチ２２６をオン・オフさせる不図示の電子ダイヤルをある方向に回転させると、操作クリック毎に、撮影モードを「ＴＶ」→「ＡＶ」→「Ｐ」→「ＡＦキャリブレーション」→「ＴＶ」・・・と変化させることができる。また、不図示の電子ダイヤルを逆方向に回転させると、操作クリック毎に、選択モードを「ＴＶ」→「ＡＦキャリブレーション」→「Ｐ」→「ＡＶ」→「ＴＶ」・・・と変化させることができる。「ＡＦキャリブレーション」は、測距エリア選択シーケンスにおいて測距エリア１〜３の中から一つだけが選択されていなければ表示されず、モード選択できないようになっている。
【００４３】
ステップＳ１０３では、モード設定スイッチ２２９がオフされたか否かを判定し、オフされたならば、その時に選択されている撮影モードを選択する。ステップＳ１０４では、撮影モードをステップＳ１０３で選択された撮影モードに決定する。
【００４４】
ステップＳ１０５では、撮影モードがＡＦキャリブレーションモードであるか否かを判定する。ＡＦキャリブレーションモード以外の場合、ステップＳ１１１へ移行し、各撮影モードに応じた不図示の撮影シーケンスへ移行する。
【００４５】
ＡＦキャリブレーションモードの場合、ステップＳ１０６へ移行する。ステップＳ１０６では、ブラケット量設定スイッチ２３２がオンされたか否かを判定する。オンされたならば、ステップＳ１０７へ移行する。オンされていなければ、ＡＦキャリブレーション撮影時のＡＦブラケットステップ量を基準設定値ａとした後、ステップＳ１１０へ移行し、ＡＦキャリブレーション撮影シーケンスへと進む。
【００４６】
ステップＳ１０７では、電子ダイヤルスイッチ２２６の操作クリック数を検出する。電子ダイヤルスイッチ２２６をオン・オフさせる不図示の電子ダイヤルを任意の方向に回転させると、操作クリック毎に、ＡＦブラケットステップ量を「基準値ａ×０．２５」⇔「基準値ａ×０．５」⇔「基準値ａ」⇔「基準値ａ×２」⇔「基準値ａ×４」と変化させることができる。ただし、「基準値ａ×０．２５」及び「基準値ａ×４」をそれぞれ上限・下限値とし、それ以上の変化させようとして電子ダイヤルを操作しても無視するようになっている。
【００４７】
ＡＦブラケットステップ量の基準値ａは、絞り制御回路１０６から開放絞り値情報をシステムコントローラ２２３が受け取り、ａ＝ＦＮＯ×εにて決定する。ＦＮＯは絞り値情報、εは許容錯乱円径である。本実施形態での基準値ａは、焦点深度δと同じ値としている。本実施形態では、ε＝０．０３ｍｍとしている。
【００４８】
ＡＦブラケットステップ量を可変とすることで、次のことが可能となる。即ち、大きなピント補正が必要な場合でも、ＡＦキャリブレーションをＡＦブラケットステップ量を段階的に変化（大きなステップ量から小さいステップ量へ変化）させて複数回実行することで、ピント補正量を適切な値まで絞り込んで求めていくことができる。
【００４９】
ステップＳ１０８では、ブラケット量設定スイッチ２３２がオフされたか否かを判定し、オフされたならば、その時に選択されているＡＦブラケットステップ量を選択する。ステップＳ１０９では、ＡＦブラケットステップ量Ａを、ステップＳ１０８で選択されたブラケットステップ量に決定した後、ステップＳ１１０へ移行し、図４のＡＦキャリブレーション撮影シーケンスへと進む。
【００５０】
（ＡＦキャリブレーション撮影シーケンス）
図４を参照して、ＡＦキャリブレーション撮影シーケンスを説明する。ＡＦキャリブレーション撮影シーケンスは、段階撮影手段として機能するシステムコントローラ２２３により制御される。
【００５１】
ステップＳ２０１では、カウンター２３３のリセットを行う。ステップＳ２０２では、レリーズスイッチ１（２３１）がオンされたか否かを判定する。オンされたならば、ステップＳ２０３とステップＳ２０５とへ分岐し、移行する。
【００５２】
ステップＳ２０３では、撮影レンズ１０１を通りクイックリターンミラー２０２で反射し、ペンタプリズム２０１を通過した光束を測光回路２０７で測光する。ステップＳ２０４では、システムコントローラ２２３が、測光回路２０７の出力に応じて撮像時の露出量を決定する。
【００５３】
ステップＳ２０５では、システムコントローラ２２３が、ＡＦセンサ２０４、焦点検出回路２０５を使用し、測距を行う。ステップＳ２０６では、測距できたか否かを判定する。測距した対象物が低コントラストの場合や暗い場合には測距できないことがあり、その場合には、ステップＳ２１０へ移行し、警告を行う。
【００５４】
ステップＳ２０７では、位相差ＡＦで求めたピント位置までレンズを駆動する。ステップＳ２０８では、コントラストＡＦでピントのピーク位置を求める。すなわち、撮影レンズ１０１のピント位置をステップ的に移動させながら各ピント位置での撮像画像のコントラスト検出を行い、最大のコントラスト位置（ピーク位置）を焦点検出結果とする（いわゆるＴＶ-ＡＦや山登りＡＦと称される方法）。
【００５５】
ステップＳ２０９では、ステップＳ２０５で求めたピント位置と、ステップＳ２０８で求めたピントのピーク位置との差分を求め、位相差ＡＦによる焦点検出の結果及びコントラストＡＦによる焦点検出の結果の信頼度を、予め定められた基準に従って判定する。
【００５６】
位相差ＡＦとコントラストＡＦとのピント位置の結果が大きく相違する場合は（例えば位相差ＡＦ及びコントラストＡＦの結果の差分が設定値以上ある場合）、いずれかの焦点検出に誤りがあったことが考えられるので、焦点検出を再実行させる。このとき、単に再実行させるだけでなく、条件や判定基準を変えるようにしてもよい。
【００５７】
また、チャート、距離、光源といった焦点検出を行った際の条件を検出し、その条件が基準としている条件と大きく相違する場合には、得られた結果も信頼できるものとは言えないと判定するようにしてもよい。
【００５８】
この信頼度の判定の例を図１１に示す。図１１において、ステップＳ６０１で、まず使用しているチャートを読み出す。ステップＳ６０２では、使用しているチャートを基準としているチャートのパターンと比較して、同じであると判定したならば、ステップＳ６０３へ移行し、違うものと判定したならば、ステップＳ６０８へ移行し、信頼度が低いと判定する。例えば、二本バーチャートや高コントラストチャートを使用すべきなのに、誤って低コントラストチャートを使用してしまった等の場合である。
【００５９】
ステップＳ６０３では、測定を行おうとしている被写体までの撮影距離を測定する。これは、基準としているチャートがどの程度の大きさに収まっているかを判断すればよい。これをステップＳ６０４で基準としている距離（例えば焦点距離の５０倍）と同じであるかを比較して、基準としている距離と同じであると判定したならば、ステップＳ６０５へ移行し、違うものと判定したならば、ステップＳ６０８へ移行し、信頼度は低いと判定する。
【００６０】
ステップＳ６０５では、測定を行おうとしている光源を検出する。光源の検出は、例えば特許文献７に記載された既存の方法で検出を行えばよい。これをステップＳ６０６で基準としている光源と同じであるかを比較して、基準としている光源と同じであると判定したならば、ステップＳ６０７へ移行し、信頼度は高いと判定し、違うものと判定したならば、ステップＳ６０８へ移行し、信頼度は低いと判定する。
【００６１】
図１１で述べた例は、１つでも条件と異なるものがあったならば、信頼度は低いと判定するようにしたが、同じ条件がどれだけ揃っているかによって、信頼度に重みをつけるようにしてもよい。例えば、３つとも同じ条件であると判定されれば、信頼度のレベルは高い、２つは同じ条件であると判定されれば、信頼度のレベルは中程度、１つは同一条件であると判定されれば、信頼度のレベルは低い、というような具合である。また、信頼度が低いと判定した場合には、その旨を表示するようにしてもよい。
【００６２】
別の方法として、位相差ＡＦによる焦点検出の結果は、相関値により求め、コントラストＡＦによる焦点検出の結果は、山のピークを求めるための評価値の軌跡が、どのような軌跡を描いているかで、判定するようにしてもよい。例えば、通常、評価値軌跡は山の形を描くが、もし二つの山形を描くような軌跡であった場合の結果は、信頼度が低いと判定する。また、評価値の軌跡が山の形を描いていない場合の結果は、信頼度が低いと判定する。
【００６３】
また、信頼度の高低だけの判定だけではなく、信頼度を数値化するようにしてもよい。コントラストＡＦでの評価値の山の軌跡の傾きを求め、そこから信頼度を数値として表す。例えば傾きが４５°の場合を理想形として定め、信頼度が一番高いものとして扱い、そこから、傾きが急な方向や緩やかな方向に変化するにつれて、信頼度の度数が落ちていくことになる。
【００６４】
また、信頼度を測る別の方法としては、得られた評価値の絶対値から求める方法も考えられる。この場合には、ピントピークとなる場所の評価値を一番高いものとして扱い、そこから、絶対値が下がるにつれて、信頼度の度数が落ちていくことになる。
【００６５】
また、位相差ＡＦでの合焦の位置から、どの程度離れた位置でコントラストのピークが検出されるかにもよる。かけ離れた位置が結果であった場合には、その離れ具合に応じて、信頼度の度数も落ちていく。
【００６６】
以上挙げたような方法にとらわれることなく、種々の方法で、信頼度を表すようにすればよい。また、焦点検出を再実行させる場合には、条件を変えたり、判定基準を変えたりすることが考えられる。変更するのは、信頼度の判定基準を緩めにしたり、測定時の設定条件として、チャート、距離、光源の設定をより厳しく設定する方向へ変更したりすることが考えられる。
【００６７】
図４に説明を戻して、ステップＳ２１１では、レリーズスイッチ２（２３０）がオンされたか否かを判定する。オンされたならば、ステップＳ２１２へ移行する。ステップＳ２１２では、システムコントローラ２２３がピント位置ずらし量ＤＦの演算を行う。具体的には、カウンター２３３から現在のカウント数Ｎを受け取り、下式（２）に従ってピント位置ずらし量ＤＦを演算する。
ＤＦ＝Ａ×（Ｎ−４）・・・（２）
【００６８】
ステップＳ２１３では、カウンターＮを一つカウントアップする。ステップＳ２１４では、システムコントローラ２２３が、ステップＳ２１２で演算したピント位置ずらし量ＤＦをレンズ制御回路１０４に送信する。これを受けて、レンズ制御回路１０４は、レンズ駆動回路１０３を制御し、撮影レンズ１０１をピント位置ずらし量ＤＦの位置までレンズ駆動を行う。
【００６９】
ステップＳ２１５では、システムコントローラ２２３が、シャッタチャージ・ミラー駆動機構２１１を制御し、ミラーアップを行う。ステップＳ２１６では、システムコントローラ２２３が、ステップＳ２０４で設定された露出量を絞り制御回路１０６へ送信し、絞り駆動機構１０５を駆動して、設定された絞り値まで絞り込みを行う。
【００７０】
ステップＳ２１７では、システムコントローラ２２３が、フォーカルプレーンシャッタ２０８を開くよう各部を制御する。さらにステップＳ２１８では、画像データコントローラ２２０に対してイメージセンサ２１０の積分動作を指示する。ステップＳ２１９では、所定の積分時間だけ待機する。積分時間が終わると、ステップＳ２２０へ移行し、フォーカルプレーンシャッタ２０８を閉じる。
【００７１】
ステップＳ２２１では、システムコントローラ２２３が、次回の動作に備えてフォーカルプレーンシャッタ２０８のチャージ動作及びミラーダウン駆動を行う。ステップＳ２２２では、絞りを開放へと駆動する。
【００７２】
ステップＳ２２３では、画像データコントローラ２２０に対してイメージセンサ２１０から画像データを取り込むように指示する。この際、イメージセンサ２１０から取り込む画像データは、ＡＦに使用された測距点を含む限定されたエリアの画像データでもよい。
【００７３】
ステップＳ２２４では、画像データコントローラ２２０へ現在のピント位置ずらし量ＤＦを送信し、レンズＩＤ情報と画像データとピント位置ずらし量ＤＦを関連付けて画像圧縮回路２１９を通し、画像データ記録メディア２１８へ記録する。
【００７４】
ステップＳ２２５では、カウンターＮの値を確認する。カウンター値が所定の値（本実施形態では「７」）になっていれば、ＡＦキャリブレーション撮影シーケンスが完了したと判定し、図５の画像選択シーケンスへと移行する。
【００７５】
（ＡＦキャリブレーション画像選択シーケンス）
図５を参照して、ＡＦキャリブレーション画像選択シーケンスを説明する。ステップＳ３０００では、選択方法を判定し、手動の場合にはステップＳ３０１へ、自動の場合にはステップＳ３００１へ移行する。
【００７６】
ステップＳ３００１では、画像のコントラスト評価値を取り込み、ステップＳ３００２では、画像間の比較を行い、その中での最大値となる画像を選択し、その後ステップＳ３１３へ移行する。
【００７７】
それに対して、ステップＳ３０１では、システムコントローラ２２３が、画像データコントローラ２２０に対して、ＡＦキャリブレーション撮影シーケンスにて撮影されたカウンター"１"の画像データを画像表示回路２１３に表示させるよう制御する。画像データを表示する際には、通常撮影シーケンスで撮影された画像を表示する場合とは異なる画像処理を施して表示する。具体的には、通常撮影シーケンスで撮影された画像を表示する際には、見栄えを良くするためにエッジ強調を行う。しかしながら、ＡＦキャリブレーションモードで撮影された画像データに対しエッジ強調を行うと、本来ピントがずれているはずの画像部分がピントがあっているように見えてしまう。そこで、ＡＦキャリブレーションモードで撮影された画像群から最適なピントの画像を選択する際には、エッジ強調を行わず、誤ってピントがずれている画像を選択されるような不都合を避けるようにしている。
【００７８】
ステップＳ３０２では、決定スイッチ２２７がオンされたか否かを判定する。オンされたならば、ステップＳ３１３へ移行し、オンされてなければ、ステップＳ３０３へ移行する。ステップＳ３０３では、電子ダイヤルスイッチ２２６の操作状態を検出する。左回転されればステップＳ３０４へ、右回転されればステップＳ３０８へ移行する。
【００７９】
ステップＳ３０４では、カウンターＮから−１する。ステップＳ３０５では、カウンターＮが"０"になっていないか判定する。ステップＳ３０５でカウンターＮが"０"より小さい場合は、ステップＳ３０６で、選択表示できるＡＦキャリブレーション撮影による画像データがないことを表示回路もしくはブザー２３４もしくは表示回路及びブザー２３４を同時に使って警告を行う。その後、ステップＳ３０７では、カウンターＮを＋１する。ステップＳ３０５でカウンターＮが"０"より大きい場合は、ステップＳ３１２へ移行する。
【００８０】
ステップＳ３０８では、カウンターＮに＋１する。ステップＳ３０９では、カウンターＮが"７"により大きくなっていないか判定する。ステップＳ３０９でカウンターＮが"７"より大きい場合は、ステップＳ３１０で、選択表示できるＡＦキャリブレーション撮影による画像データがないことを表示回路もしくはブザー２３４もしくは表示回路及びブザー２３４を同時に使って警告を行う。その後、ステップＳ３１１では、カウンターＮを−１する。ステップＳ３０９でカウンターＮが"７"以下である場合は、ステップＳ３１２へ移行する。
【００８１】
ステップＳ３１２では、電子ダイヤルスイッチ２２６の操作に応じて変化させられたカウンターＮに応じた画像データを画像データ記録メディア２１８から呼び出し、画像表示回路２１３に表示する。
【００８２】
ステップＳ３１３では、ステップＳ３００２やステップＳ３０２において選択されたＡＦキャリブレーション撮影による画像データに関連付けられて記憶されているピント位置ずらし量ＤＦをＡＦ補正量（ＣＡＬデータ）として決定する。ステップＳ３１４では、決定されたＡＦ補正量（ＣＡＬデータ）を、焦点検出を行った測距エリアやズーム位置と関連付けて、レンズ制御回路１０４が持っているレンズＩＤと共にＥＥＰＲＯＭ２２２に書き込む。
【００８３】
ステップＳ３１５では、ＡＦキャリブレーション画像データ全て及びＡＦキャリブレーション画像データ用フォルダを画像データ記録メディア２１８より削除する。
【００８４】
（通常撮影シーケンス）
図９を参照して、通常撮影シーケンスを説明する。ステップＳ４０１では、レリーズスイッチ１（２３１）がオンされたか否かを判定する。オンされたならば、ステップＳ４０２とステップＳ４０４へ分岐し、移行する。
【００８５】
ステップＳ４０２では、撮影レンズ１０１を通りクイックリターンミラー２０２で反射し、ペンタプリズム２０１を通過した光束を測光回路２０７で測光する。ステップＳ４０３では、システムコントローラ２２３が、測光回路２０７の出力に応じて撮像時の露出量を決定する。
【００８６】
ステップＳ４０４では、システムコントローラ２２３が、ＡＦセンサー２０４、焦点検出回路２０５を使用し、測距を行う。ステップＳ４０５では、測距できたか否かを判定する。測距した対象物が低コントラストの場合や暗い場合には測距できないことがあり、その場合には、ステップＳ４０９へ移行し、警告を行う。
【００８７】
ステップ４０６では、システムコントローラ２２３がレンズＩＤ情報を受け取り、電子カメラに取り付けられているレンズ（レンズＩＤで判定）で、かつ、焦点検出に使用している測距エリアのＡＦ補正量（ＣＡＬデータ）がＥＥＰＲＯＭ２２２に記憶されているか否かを判定する。記憶されていなければ、ＡＦ補正量を焦点検出結果に加算しない。記憶されていれば、ステップＳ４０７で測距結果にＡＦ補正量（ＣＡＬデータ）を加算し、ステップＳ４０８へ移行する。この場合、レンズ駆動量は、レンズ駆動量＝測距結果＋製造時のＡＦ補正値（調整データ）＋ＡＦ補正量（ＣＡＬデータ）となる。
【００８８】
ステップＳ４０８では、測距結果に基づき、システムコントローラ２２３よりレンズ制御回路１０４にレンズ駆動量を送信する。レンズ制御回路１０４は、送信されたレンズ駆動量に基づいてレンズ駆動機構１０３を制御し、レンズ駆動機構１０３は撮影レンズ１０１を合焦位置へと駆動する。
【００８９】
ステップＳ４１０では、レリーズスイッチ２（２３０）がオンされたか否かを判定する。オンされたならば、ステップＳ４１１へ移行する。ステップＳ４１１では、システムコントローラ２２３が、シャッタチャージ・ミラー駆動機構２１１を制御し、ミラーアップを行う。ステップＳ４１２では、ステップＳ２０４で設定された絞り値情報をシステムコントローラ２２３が絞り制御回路１０６へ送信し、絞り駆動機構１０５を駆動して、設定された絞り値まで絞り込みを行う。
【００９０】
ステップＳ４１３では、システムコントローラ２２３が、フォーカルプレーンシャッタ２０８を開くよう各部を制御する。さらにステップＳ４１４では、画像データコントローラ２２０（ＤＳＰ）に対してイメージセンサ２１０の積分動作を指示する。ステップＳ４１５では、所定の積分時間だけ待機する。積分時間が終わると、ステップＳ４１６へ移行し、フォーカルプレーンシャッタ２０８を閉じる。
【００９１】
ステップＳ４１７では、システムコントローラ２２３が、次回の動作に備えてフォーカルプレーンシャッタ２０８のチャージ動作及びミラーダウン駆動を行う。ステップＳ４１８において、絞りを開放へと駆動する。
【００９２】
ステップＳ４１９では、画像データコントローラ２２０に対してイメージセンサ２１０から画像データを取り込むように指示する。ステップＳ４２０では、読み出した画像データ画像圧縮回路２１９を通し、画像データ記録メディア２１８へ記録する。
【００９３】
（本発明による処理動作の概要）
図１０は、本発明による処理動作の概要を示したものである。ステップＳ１０００では、レンズ装着を検出し、装着されていれば、ステップＳ１０１０で、レンズ情報を取得する。
【００９４】
次に、ステップＳ１０２０で、レリーズスイッチ１（２３１）が押されたか否かを判定し、押されたならば、ステップＳ１０３０へ移行する。ステップＳ１０３０では、位相差ＡＦによるレンズ駆動をまず行う。ステップＳ１０４０では、ライブビュー表示の開始を行う。次に、ステップＳ１０５０にて、イメージャＡＦ（コントラストＡＦ）によるレンズ駆動を行う。このとき設定した条件（距離、チャート、光源）の検出、記憶を行う。
【００９５】
ステップＳ１０６０では、両ＡＦの結果の差分を検出し、ステップＳ１０７０では、信頼度の判定を行う。このとき、コントラストＡＦ結果を得た際の条件や、位相差ＡＦ結果との差に応じて、信頼度の判定を行うことになる。
【００９６】
ステップＳ１０８０では、レリーズスイッチ２（２３０）が押されたか否か検出し、押されたならば、ステップＳ１０９０へ移行する。レリーズスイッチ２（２３０）が押されなければ、ステップＳ１０２０へ戻る。ステップＳ１０９０では、ライブビュー表示を終了し、ステップＳ１１００では、選択された画像に関連付けられたピント位置ずらし量をＡＦ補正量として記憶する。その結果に基づいて、以後の撮影は、ステップＳ１１１０で行われることになる。
【００９７】
以上述べたように、位相差ＡＦによる焦点検出の結果及びコントラストＡＦによる焦点検出の結果の信頼度を判定することにより、高精度なＡＦ機能を実現することができる。
【００９８】
また、信頼度の高低や数値化したものを表示したり、信頼度が低い場合に警告したりする等の通知を行うようにすれば、ユーザがＡＦ補正量を使用するか否かの判断の目安になる情報を提供することが可能になる。
【００９９】
また、信頼度に応じて、ＡＦ補正量のＥＥＰＲＯＭ２２２への記憶可否を決定するようにしたもよい。この場合、信頼度が高いときのみ記憶させることにより、ユーザは、信頼度を意識することなく、ＡＦ補正量を用いることができる。
【０１００】
また、信頼度に応じてＡＦ補正量の取得を再度行うようにすれば、より信頼度の高いＡＦ補正量とすることができる。
【０１０１】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【０１０２】
この場合、記憶媒体から読み出されたプログラムコード自体が上述した実施形態の機能を実現することになり、プログラムコード自体及びそのプログラムコードを記憶した記憶媒体は本発明を構成することになる。
【０１０３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０４】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【０１０５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【０１０６】
【図１】本実施形態の電子カメラの概略構成を示すブロック図である。
【図２】測距エリア選択シーケンスを説明するためのフローチャートである。
【図３】モード設定シーケンスを説明するためのフローチャートである。
【図４】ＡＦキャリブレーション撮影シーケンスを説明するためのフローチャートである。
【図５】ＡＦキャリブレーション撮影画像選択シーケンスを説明するためのフローチャートである。
【図６】ファインダー観察像と測距エリア、測光エリアとの関係を示す図である。
【図７】デフォーカス量検出の原理を説明するための図である。
【図８】デフォーカス量検出の原理を説明するための図である。
【図９】通常撮影シーケンスを説明するためのフローチャートである。
【図１０】本発明による処理動作の概要を示したフローチャートである。
【図１１】本発明による信頼度判定の概要を示したフローチャートである。
【符号の説明】
【０１０７】
１００：レンズユニット
１０１：撮影レンズ
１０２：絞り
１０３：レンズ駆動機構
１０４：レンズ制御回路
１０５：絞り駆動機構
１０６：絞り制御回路
１０７：電気的接点群
２００：カメラ本体
２０１：ペンタプリズム
２０２：クイックリターンミラー
２０３：サブミラー
２０４：ＡＦセンサ
２０６：接眼レンズ
２０７：測光回路
２０８：フォーカルプレーンシャッタ
２０９：フィルタ
２１０：イメージセンサ
２１１：シャッタチャージ・ミラー駆動機構
２１２：シャッタ制御回路
２１３：画像表示回路
２１４：エンコーダ回路
２１５：Ｄ／Ａコンバータ
２１６：Ａ／Ｄコンバータ
２１７：タイミングパルス発生回路
２１８：画像データ記録メディア
２１９：画像圧縮回路
２２０：画像データコントローラ
２２１：ＤＲＡＭ
２２２：ＥＥＰＲＯＭ
２２３：システムコントローラ
２２４：通信インターフェース回路
２２５：動作表示回路
２２６：電子ダイヤルスイッチ
２２７：決定スイッチ
２２８：測距エリア選択スイッチ
２２９：モード設定スイッチ
２３０：レリーズスイッチ２
２３１：レリーズスイッチ１
２３２：ブラケット量設定スイッチ
２３３：カウンター
２３５：測光エリア選択スイッチ
３００：外部制御装置
【図１】
0004804210.tif 000003
【図２】
0004804210.tif 000004
【図３】
0004804210.tif 000005
【図４】
0004804210.tif 000006
【図５】
0004804210.tif 000007
【図６】
0004804210.tif 000008
【図７】
0004804210.tif 000009
【図８】
0004804210.tif 000010
【図９】
0004804210.tif 000011
【図１０】
0004804210.tif 000012
【図１１】
0004804210.tif 000013